(57)【要約】　　　（修正有）【課題】車窓の左右を問わずスモークの脱着が簡単確実にでき、また車窓を下げずにスモークの開閉ができ，スモークを付けたまま車窓の上げ下げができる。【解決手段】略３角形の二辺は丸く凸斜状にカットされた薄板からなるスモークＡは、上部左右に一対の被係止部３，４を有する。保持具Ｂは、係止部１，２を有する回転部Ｋ１，Ｋ２と、回転部を連結する固定部Ｕとからなる基体１１と、車窓に固定するためのキャップ９，１０とを有する。スモークＡの被係止部３，４と保持具Ｂの係止部１，２とで、スモークＡと保持具Ｂとを確実に固定する。【選択図】　　　図３
0003097721.tif 000002
【実用新案登録請求の範囲】
【請求項１】
略三角形の二辺はなだらかな凸円状にカットされた薄状の平面板であって、上部左右に開けた一対の被係止部（３，４）を設けたスモーク（Ａ）及び両先端部に、スモークの被係止部（３，４）が係止される係止部（１，２）を有して対向する回転部（Ｋ１、Ｋ２）と、これらを連結する略円筒状の固定部（Ｕ）とにより略コの字に形成されてなる基体（１１）と、該基体の円筒部分に設けた窓に固定するための一対のキャップ（９，１０）とからなる保持具（Ｂ）とから構成され、スモーク（Ａ）の被係止部（３，４）に保持具（Ｂ）の係止部（１，２）を係止してなる紫外線防止装置。
【請求項２】
スモーク（Ａ）の被系止部（３，４）に係止した保持具（Ｂ）の係止部（１，２）に跨って拡がり防止装飾体（Ｃ）を装着してなる請求項１記載の紫外線防止装置。
【請求項３】
略三角形の二辺はなだらかな凸円状にカットされた薄板であって、上部左右に一対の被系止部（３，４）を設けてなるスモーク。
【請求項４】
被系止部（３，４）を含む長方形領域は固く、他の平面域は柔軟性を持たせてなる請求項３記載のスモーク。
【請求項５】
表裏対称である請求項３又は４記載のスモーク。
【請求項６】
両先端部に、請求項３，４又は５記載のスモークの被係止部（３，４）が係止される、係止部（１，２）を有して対向する同一の回転部（Ｋ１，Ｋ２）と、これらを連結する略円筒状の固定部（Ｕ）とにより略コの字に形成されてなる基体１１と該基体の長手方向両端に設けた窓に固定するための一対のキャップ（９，１０）とからなる保持具。
【請求項７】
回転部（Ｋ１）と（Ｋ２）の形状が同一である請求項６記載の保持具。
【請求項８】
回転部（Ｋ１，Ｋ２）の円周上に１８０度で向かい合う一対のローラを設けた請求項６又は７記載のスモークの保持具。
【請求項９】
一対のローラを外方へ反発するために、バネ材を設けた請求項６、７又は８記載のスモークの保持具。
【請求項１０】
ローラの回転を一時固定するロック位置を形成してローラ誘導面を備えた請求項６，７、８又は９記載のスモークの保持具。
【考案の詳細な説明】
【０００１】
【考案の属する技術分野】
本考案は、車窓を通して入り込む紫外線を簡易的にカットする紫外線防止装置に係るものであり、詳しくは紫外線防止装置並びにスモーク及びその保持具に関するものである。
【０００２】
【従来の技術】
従来、この種の簡易紫外線防止装置としては、図１２、図１３に示す、略長方形の繊維材質でなる紫外線防止面イの中心にある吸盤ロにより窓に固定するもの等が知られている。
【０００３】
【考案が解決しようとする課題】
従来の技術で述べたものにおいては、吸盤ロで窓に極めて簡単に取付け固定することが出来るものの、窓を下ろさず陽光を車内に取り込みたい、あるいは手や顔を外へ出したい時に容易でなく又、窓を下げても吸盤ロまでは下がるが紫外線防止面イの上部分は下がらず手を窓外へ出すには不便という問題点を有していた。
【０００４】
本考案は、従来の技術の有するこのような問題点に顧みてなされたものであり、その目的とするところは、紫外線防止具を取り外すことなく陽光を車内に取り込むことが出来、窓を下げる際はほぼ全開まで下ろすことが可能であり、更に脱着が容易な目立たず外観的にも優れた、紫外線防止装置並びにスモーク及びその保持具を提供しようとするものである。
【０００５】
【課題を解決するための手段】
上記目的を達成するために、本考案における紫外線防止装置は、略三角形の二辺はなだらかな凸円状にカットされた薄状の平面板であって、上部左右に一対の被係止部を設けたスモーク及び両先端部に、スモークの被係止部が係止される、係止部を有して対向する一対の回転部と，これらを連結する略円筒状の固定部とにより略コの字に形成されてなる基体と、該基体の長手方向に設けた窓に固定するための一対のキャップとからなる保持具とから構成され、スモークの被係止部に保持具の係止部を係止してなるものである。
【０００６】
そして、上記スモークは、表裏対称とすると共に、被係止部周辺に厚みを持たせ、平面部は薄くすることが好ましい。
【０００７】
また、スモークをより確実に固定するために、保持具の係止部両端に拡がり防止装飾体を装着することもできる。
【０００８】
また、スモークの開閉をスムーズにする為に、保持具の回転部に一対のローラを設け、固定部との接点を強める目的で二つのローラ間にバネ材を介してもよい。
【０００９】
さらに、基体固定部の内周面の少なくとも２部分にローラ誘導面を設け、誘導面にローラの回転を一時固定するロック位置を形成してもよい。
【００１０】
保持具は、そのキャップを車窓につけて固定される。なを、保持具は２箇所固定される。
【００１１】
そして、スモークが、保持具の基体の開放側から入ると、保持具の両係止部が、スモークの上部両側に設けた被係止部に厳入され、スモークを係止する。保持具の両端に装着される拡がり防止装飾体は、対向する回転部の拡がりを防止するとともにスモークを確実に固定する。
【考案の実施の形態】
図１〜図３において、スモークＡは、プラスチックスを用い、４００〜６００ｍｍ程の平面状の薄板に形成されている。さらに詳しくは、被係止部を含む上部域は１０〜１５ｍｍ程の肉厚を有して固く、他の平面域は小さい力でも曲がるよう１〜２ｍｍ程度の肉厚を有し柔軟性を持たせ、スモークの縁には断面が略円状で直径３〜５ｍｍ程の膨らみを設けて安全性を有している。上部端の被係止部３，４は後述する保持具Ｂに保持された場合に保持具の係止部１，２が係止する個所である。
【００１２】
保持具Ｂは、プラスチックスを用いた基体と該基体の円筒面に取り付けられた２個のキャップ９，１０とで構成される。さらに詳しくは、基体は直径５０〜７０ｍｍ程の円筒部分と、円筒の両端にスモークの被係止部３，４が係止される係止部１，２を有する平行する一対の回転部Ｋ１，Ｋ２と、回転部ｋ１、ｋ２を連結する略円筒状の固定部Ｕとにより略コの字状に形成されており、かつ回転部の係止部１，２の先端中央には後述する拡がり防止装飾体の取付け部５，６が固定される固定穴７，８が設けられ、さらに円筒部の１８０度対面する位置に一対のローラを配して、固定部Ｕとの接点を強化している。ローラにはゴム又はプラスチックスを用いる。
【００１３】
また、保持具Ｂの拡がりを防止してスモークの保持具Ｂへの装着を確実にする目的で、剛性を有する細幅状の拡がり防止装飾体が保持具Ｂの回転部Ｋ１，Ｋ２にスモークを挟み装着されている。拡がり防止装飾体には、両側に取付け部５，６が設けられ保持具Ｂの固定穴７，８に固定される。また、拡がり防止装飾体の平面部は、華やかな宝石色を用いる。
【００１４】
保持具Ｂは回転部Ｋ１，Ｋ２を同一としとこれらを連結する固定部Ｕとにより略コ字状に形成された基体と、該基体の長手方向に設けたキャップ９，１０とからなり、回転部の回転体１２には１８０度対面する位置に一対のローラを装着し、ローラは直径方向の移動が可能で円周回転方向には動かないよう軸固定壁（１３，１４）が回転体に備えられ、軸固定壁は円周外側に開放されており、ローラ組立は外側より装着される。
【００１５】
回転部回転体の円周上に１８０度対面して位置するローラ組立を外側へ押し出す目的でスプリング組立（Ｓ）を用意する。スプリング（Ｓ１）を２枚の平面状のスプリング受板（Ｓ２）で挟んだ構造のスプリング組立は回転体の円筒開放部より挿入されてローラ組立をスプリングの力で回転体外方向へ押し出す。そして、スプリング組立及びローラ組立は回転体と一体となって回転し回転部を構成する。
【００１６】
図８〜図１０において、回転部回転体の円周上に１８０度対面して位置するローラ組立は、スプリング組立及び回転体と一体となって回転し回転部を構成する。ローラを含む回転部の円筒部分は固定部の円筒部分へ挿入され、ローラが固定部に接触して回転するローラ誘導面には１８０度対面する位置にローラが一時固定されるためのロックポイントを２箇所（Ｙ１，Ｙ２）さらに９０度ずれて２箇所（Ｙ３，Ｙ４）設けられる。
【考案の効果】
本考案は、上述のとおり構成されているので、次に記載する効果を奏する。
【００１７】
請求項１の紫外線防止装置においては、スモークの上部に設けた被係止部に保持具の係止部が係止しているので、簡単な作業でもってスモークを確実に固定でき、また、保持具が目立たず外観的にも優れている。
【００１８】
請求項２の紫外線防止装置において、保持具の外周に拡がり防止装飾体を装着したことにより、スモークと保持具の係止をより確実にできる。
【００１９】
請求項３のスモークにおいては、上部左右に一対の被係止部を設けてあるので、保持具の係止部を左右の被係止部に簡単な作業でもって係止することが出来る。
【００２０】
請求項４のスモークにおいては、被係止部を含む領域は固いので保持具を確実に固定でき、他の平面域は柔軟性をもたせているので装着、使用、そして保存時に安全が保たれる。
【００２１】
請求項５のスモークにおいては、表裏対称であるので、スモークと拡がり防止装飾体を入れ替えるだけで車窓の左右を問わずに装着ができる。
【００２２】
請求項６のスモークの保持具を用いると、回転部Ｋ１とＫ２が同一なので製作工数を短縮でき、また、簡単な作業でもってスモークの取付け及び取り外しを確実に行え、目立たず外観的にも優れている。
【００２３】
請求項７のスモークの保持具を用いると、二つの回転部の形状が同一であるので組立が簡単で製作費を削減できる。
【００２４】
請求項８のスモークの保持具を用いると、回転部と固定部の接点にローラを用いているので、スモークの開閉をスムーズにできる。
【００２５】
請求項９のスモークの保持具を用いると、一対のローラはバネ材により反発しているので、スモークの開閉とストップを確実且つスムーズにできる。
【００２６】
請求項１０のスモークの保持具においては、基体固定部の内周面に２箇所のローラ誘導面とロックポイントを形成しているので、スモークの開閉とロックを確実にできる。
【図面の簡単な説明】
【図１】紫外線防止装置の斜視図（車内側）である。
【図２】紫外線防止装置の斜視図（車外側）である。
【図３】紫外線防止装置の分解しての斜視図（車内側）である。
【図４】紫外線防止装置の分解しての斜視図（車外側）である。
【図５】保持具の分解斜視図である。
【図６】回転部の分解斜視図である。
【図７】スプリング組立の分解斜視図である。
【図８】ローラとローラ誘導面の関係を示す要部断面図である。
【図９】ローラとローラ誘導面の関係の３状態を示す要部斜視図である。
【図１０】回転部とローラ誘導面の関係を示す要部斜視図である。
【図１１】本考案の紫外線防止装置を装着し車外より見た図である。
【図１２】従来の紫外線防止装置の正面図である。
【図１３】従来の紫外線防止装置を装着して車外より見た図である。
【符号の説明】
Ａ　スモーク
Ｂ　保持具
Ｃ　拡がり防止装飾体
Ｋ１、Ｋ２　回転部
Ｒ　ローラ組立
Ｒ１　ローラ
Ｒ２　ローラ軸
Ｓ　スプリング組立
Ｓ１　スプリング
Ｓ２、Ｓ３　スプリング受板
Ｕ　固定部
Ｙ　ローラ誘導面
Ｙ１、Ｙ２、Ｙ３、Ｙ４　ロックポイント
１，２　係止部
３，４　被係止部
５，６　取付け部
７，８　固定穴
９，１０　キャップ
１１、　基体
１２　回転体
１３，１４　軸固定壁
【図１】
0003097721.tif 000003
【図２】
0003097721.tif 000004
【図３】
0003097721.tif 000005
【図４】
0003097721.tif 000006
【図５】
0003097721.tif 000007
【図６】
0003097721.tif 000008
【図７】
0003097721.tif 000009
【図８】
0003097721.tif 000010
【図９】
0003097721.tif 000011
【図１０】
0003097721.tif 000012
【図１１】
0003097721.tif 000013
【図１２】
0003097721.tif 000014
【図１３】
0003097721.tif 000015